(57)【要約】【課題】伸縮性経編地を薄く軽量にしつつジャカード編成組織における組織変化の自由度を高くする。【解決手段】ジャカード編成組織と、弾性糸２０のみで構成されて全ての編目位置においてループが形成されている支持組織とを備える。【選択図】図４
2017141518.tif 000002
【特許請求の範囲】
【請求項１】
ジャカード編成組織と、
弾性糸のみで構成されて全ての編目位置においてループが形成されている支持組織とを備える、伸縮性経編地。
【請求項２】
前記ジャカード編成組織に、ループが形成されていない編目位置が存在する、請求項１に記載の伸縮性経編地。
【請求項３】
前記ジャカード編成組織は、一定の繰り返し単位を有する基本組織と該基本組織を変化させた変化組織とを含み、
前記変化組織にのみ、ループが形成されていない編目位置が存在する、請求項２に記載の伸縮性経編地。
【発明の詳細な説明】
【技術分野】
【０００１】
本発明は、伸縮性経編地に関し、特に、高い伸縮性を有する伸縮性経編地に関する。
【背景技術】
【０００２】
伸縮性経編地の構成を開示した先行文献として、特開２００９−２５６８２９号公報(特許文献１)がある。特許文献１に記載された伸縮性経編地は、ジャカード編成組織を含み、支持組織が不要な経編地である。ジャカード編成組織は、一定の繰り返し単位を有する基本組織と、基本組織から変化した変化組織を含む。ジャカード編成組織の全ての編目位置において、ループが形成されている。
【０００３】
伸縮性経編地の他の構成を開示した先行文献として、特開平１０−９６１４７号公報(特許文献２)がある。特許文献２に記載された伸縮性経編地は、ジャカードガイド筬と支持組織を編成する複数本のガイド筬とを有する経編装置を用いて編成されている。伸縮性経編地は、支持組織を編成する複数本のガイド筬の少なくともオーバーラップする１本のガイド筬に非弾性糸が通糸され、少なくとも１本のガイド筬に弾性糸が通糸されている。
【先行技術文献】
【特許文献】
【０００４】
【特許文献１】特開２００９−２５６８２９号公報
【特許文献２】特開平１０−９６１４７号公報
【発明の概要】
【発明が解決しようとする課題】
【０００５】
特許文献１に記載された伸縮性経編地においては、ジャカード編成組織の変化組織においても、全ての編目位置においてループを形成しなければならない。そのため、変化組織の構成に制約が課され、ジャカード編成組織における編成を自由に変化させることができない。
【０００６】
特許文献２に記載された伸縮性経編地においては、ジャカード編成組織の変化組織の構成に制約は課されないが、非弾性糸で構成された支持組織を備える必要性があるため、薄地化および軽量化の要望に対して採り得る対応に限界がある。
【０００７】
本発明は上記の問題点に鑑みてなされたものであって、薄くて軽量で、ジャカード編成組織における組織変化の自由度が高い、伸縮性経編地を提供することを目的とする。
【課題を解決するための手段】
【０００８】
本発明に基づく伸縮性経編地は、ジャカード編成組織と、弾性糸のみで構成されて全ての編目位置においてループが形成されている支持組織とを備える。
【０００９】
本発明の一形態においては、ジャカード編成組織に、ループが形成されていない編目位置が存在する。
【００１０】
本発明の一形態においては、ジャカード編成組織は、一定の繰り返し単位を有する基本組織と基本組織を変化させた変化組織とを含む。変化組織にのみ、ループが形成されていない編目位置が存在する。
【発明の効果】
【００１１】
本発明によれば、伸縮性経編地を薄く軽量にしつつジャカード編成組織における組織変化の自由度を高くすることができる。
【図面の簡単な説明】
【００１２】
【図１】本発明の一実施形態に係る第１ジャカード筬、第２ジャカード筬および支持組織を編成する筬の各々の基本動作の基本単位を示す編成組織図である。
【図２】本発明の一実施形態に係る伸縮性経編地に含まれるジャカード編成組織の基本組織を示す編成組織図である。
【図３】本発明の一実施形態に係る伸縮性経編地に含まれるジャカード編成組織の変化組織を示す編成組織図である。
【図４】本発明の一実施形態に係る伸縮性経編地に含まれる支持組織を示す編成組織図である。
【発明を実施するための形態】
【００１３】
以下、本発明の一実施形態に係る伸縮性経編地について図を参照して説明する。以下の実施形態の説明においては、図中の同一または相当部分には同一符号を付して、その説明は繰返さない。
【００１４】
伸縮性経編地の編成装置としては、たとえば、カールマイヤー社製のＲＳＪ５／１ラッシェル機を用いることができる。カールマイヤー社製のＲＳＪ５／１ラッシェル機は、分割タイプのジャカード筬を装備している。独立制御される２枚のジャカード筬の各々は、ハーフゲージでセットされる。２枚のジャカード筬が、１枚の完全な機械ゲージを構成する。ジャカード筬には、ピエゾエレメントが取り付けられている。ピエゾエレメントに電気信号が印加されることにより、ジャカードガイドが横方向のいずれか一方に１針分だけ変位するように制御される。
【００１５】
ただし、編成装置は、カールマイヤー社製のＲＳＪ５／１に限られず、ジャカード機構を備えた編成装置であればよく、編成装置が備える制御機構および筬振り機構の各々の構成は、特に制限されない。給糸量などの編立条件、および、加工条件についても、特に制限されない。
【００１６】
本発明の一実施形態に係る伸縮性経編地は、第１ジャカード筬ＰＪＢ１、第２ジャカード筬ＰＪＢ２および支持組織を編成する筬Ｇ２の３枚の筬を用いて編成される。ただし、伸縮性経編地の編成に用いられる筬の数は、３枚に限られず、４枚以上であってもよい。たとえば、ジャカード筬および支持組織を編成する筬以外の他の筬を用いて、支持組織を構成する弾性糸とは別の弾性糸を挿入または編み込みしてもよいし、非弾性糸をパイル組織として編成または挿入してもよい。また、支持組織を、１枚の筬で編成するのではなく、一体として組み合わされた複数の筬で編成してもよい。
【００１７】
図１は、本発明の一実施形態に係る第１ジャカード筬、第２ジャカード筬および支持組織を編成する筬の各々の基本動作の基本単位を示す編成組織図である。図１に示すように、第１ジャカード筬ＰＪＢ１および第２ジャカード筬ＰＪＢ２の各々には、非弾性糸１０が糸通しされている。支持組織を編成する筬Ｇ２には、弾性糸２０が糸通しされている。
【００１８】
本実施形態においては、非弾性糸１０は、材料がナイロン６，６、太さが４４ｄｔｅｘ／３４ｆである、丸断面のブライト繊維からなる。ただし、非弾性糸１０の材料は、ナイロン６，６に限られず、他のナイロン若しくはポリエステルなどの合成繊維、レーヨン若しくはアセテートなどの再生繊維、または、綿などの天然繊維でもよい。非弾性糸１０は、フィラメント糸に限られず、紡績糸、交撚糸または加工糸などでもよい。非弾性糸１０の太さは、特に制限されない。
【００１９】
本実施形態においては、弾性糸２０は、材料がポリウレタン、太さが５０ｄｔｅｘである、ソフトタイプの繊維からなる。ただし、弾性糸２０の材料は、ポリウレタンに限られず、他の弾性繊維でもよい。弾性糸２０の太さは、特に制限されない。
【００２０】
図１に示すように、第１ジャカード筬ＰＪＢ１の基本動作と第２ジャカード筬ＰＪＢ２の基本動作とは、同一である。第１ジャカード筬ＰＪＢ１および第２ジャカード筬ＰＪＢ２の各々の基本動作は、１０／１２／／の繰り返し単位を有する。なお、第１ジャカード筬ＰＪＢ１の基本動作と第２ジャカード筬ＰＪＢ２の基本動作とが、互いに異なっていてもよい。支持組織を編成する筬Ｇ２の基本動作は、１２／２３／２１／１０／／の繰り返し単位を有する。
【００２１】
図２は、本発明の一実施形態に係る伸縮性経編地に含まれるジャカード編成組織の基本組織を示す編成組織図である。図２においては、基本組織を、経方向において６コースおよび緯方向において６ウェールに亘って図示している。経方向においては、編み始め側から順に、Ａコース、Ｂコース〜Ｆコースとし、緯方向においては、図中の左側から順に、第１ウェール、第２ウェール〜第６ウェールとしている。図２においては、第１ジャカード筬ＰＪＢ１の基本動作を実線、第２ジャカード筬ＰＪＢ２の基本動作を点線で示している。
【００２２】
図２に示すように、第１ジャカード筬ＰＪＢ１と第２ジャカード筬ＰＪＢ２とは、互いに１ゲージずれている。第１ジャカード筬ＰＪＢ１と第２ジャカード筬ＰＪＢ２とが、基本組織の全コースおよび全ウェールにおいてループを形成している。これにより、本実施形態に係る伸縮性経編地に含まれるジャカード編成組織の基本組織においては、全ての編目位置においてループが形成されている。
【００２３】
図３は、本発明の一実施形態に係る伸縮性経編地に含まれるジャカード編成組織の変化組織を示す編成組織図である。図３に示す部分は、伸縮性経編地において、図２に示す部分とは異なる部分である。
【００２４】
図３においては、変化組織を、経方向において６コースおよび緯方向において６ウェールに亘って図示している。経方向においては、編み始め側から順に、Ａコース、Ｂコース〜Ｆコースとし、緯方向においては、図中の左側から順に、第１ウェール、第２ウェール〜第６ウェールとしている。図３においては、第１ジャカード筬ＰＪＢ１の基本動作を実線、第２ジャカード筬ＰＪＢ２の基本動作および変位を点線で示している。
【００２５】
第２ジャカード筬ＰＪＢ２の変位により、伸縮性経編地に柄を形成している。なお、変位するのは、第２ジャカード筬ＰＪＢ２に限られず、第１ジャカード筬ＰＪＢ１および第２ジャカード筬ＰＪＢ２の少なくとも一方が変位していればよい。また、変位の位置および変位の態様は、特に制限されない。
【００２６】
図３に示すように、第２ジャカード筬ＰＪＢ２が、基本動作であればＤコースの第３ウェールでループを形成するところで変位して、Ｄコースの第２ウェールでループを形成している。
【００２７】
その結果、ジャカード編成組織では、Ｄコースの第３ウェールにおいて、ループが形成されていない。そのため、ジャカード編成組織のみでは、Ｄコースの第３ウェールから組織の解れが発生する。また、Ｄコースの第３ウェール以降に形成されるループである、Ｅコースの第３ウェールおよびＦコースの第３ウェールの各々は、組織が解れやすくなっており、組織の強度が低い部分となっている。
【００２８】
本実施形態においては、ジャカード編成組織において、変化組織にのみ、ループが形成されていない編目位置が存在している。また、ジャカード編成組織は、非弾性糸１０のみで構成されている。ただし、ジャカード編成組織の基本組織に、ループが形成されていない編目位置が存在していてもよい。ジャカード編成組織の一部が、弾性糸で構成されていてもよい。
【００２９】
図４は、本発明の一実施形態に係る伸縮性経編地に含まれる支持組織を示す編成組織図である。図４においては、支持組織を、経方向において６コースおよび緯方向において６ウェールに亘って図示している。経方向においては、編み始め側から順に、Ａコース、Ｂコース〜Ｆコースとし、緯方向においては、図中の左側から順に、第１ウェール、第２ウェール〜第６ウェールとしている。
【００３０】
図４に示すように、支持組織を編成する筬Ｇ２は、支持組織の全コースおよび全ウェールにおいてループを形成している。これにより、本実施形態に係る伸縮性経編地に含まれる支持組織においては、全ての編目位置においてループが形成されている。支持組織は、弾性糸２０のみで構成されている。
【００３１】
支持組織の全ての編目位置においてループが形成されていることにより、ジャカード編成組織においてループが形成されていない編目位置の組織を補完することができる。その結果、ジャカード編成組織におけるループが形成されていない編目位置において、組織が解れることを防止することができる。
【００３２】
本実施形態に係る伸縮性経編地においては、ジャカード編成組織における全ての編目位置においてループが形成されていなければならない制約が課されないため、ジャカード編成組織の組織変化の自由度を高くすることができる。その結果、様々な柄を表現することができる。
【００３３】
また、非弾性糸によって支持組織を構成し、弾性糸を挿入または編み込みしている従来の伸縮性経編地に比較して、本実施形態に係る伸縮性経編地は、弾性糸によって支持組織を構成することにより、非弾性糸によって構成されている支持組織を編成する必要性がなくなり、伸縮性経編地を薄く軽量にしつつ高い伸縮性を付与することができる。
【００３４】
伸縮性経編地の緊縛力、吸水性、吸湿性および保温性などのいずれかの特性を高めるために、弾性糸または非弾性糸で構成されている他の組織が別途編成されていてもよい。
【００３５】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３６】
１０  非弾性糸、２０  弾性糸、Ｇ２  支持組織を編成する筬、ＰＪＢ１  第１ジャカード筬、ＰＪＢ２  第２ジャカード筬。
【図１】
2017141518.tif 000003
【図２】
2017141518.tif 000004
【図３】
2017141518.tif 000005
【図４】
2017141518.tif 000006